(57)【要約】【課題】  連成曲げ・ねじりモードで振動する測定管を有するコリオリ型質量流量計において、たやすく安価に製作され、僅かな材料しか必要としない、バランスのとれたコリオリ型質量流量計の製造を可能にする取付け部品を提供する。【解決手段】  回転対称軸に関して回転対称に形成され、測定管のねじり振動モードと同じ周波数により逆位相でねじり振動させられる取付け部品を測定管と機械的に結合する。取付け部品は閉じた中空横断面を有する中空成形棒材及び／又は桁材からなる組立品である。取付け部品の回転対称軸は測定区間入口横断面（４）及び測定区間出口横断面（６）の中心点（４ａ、６ａ）で決まる直線（８）（中心軸）と平行に延び、又はこれと一致する。【選択図】図１
2005134388.tif 000002
【特許請求の範囲】
【請求項１】
コリオリ型質量流量計のための取付け部品において、閉じた中空横断面を有する中空成形棒材及び／又は桁材からなる組立品であることを特徴とする取付け部品。
【請求項２】
取付け部品が閉じた中空横断面を有する桁材からなることを特徴とする請求項１に記載の取付け部品。
【請求項３】
前記桁材は、円形又は楕円形又は長方形又は雷文形の中空横断面を有することを特徴とする請求項２に記載の取付け部品。
【請求項４】
取付け部品が細長い成形棒材からなることを特徴とする請求項１ないし３のいずれか１つに記載の取付け部品。
【請求項５】
前記成形棒材は、Ｕ形又はＬ形又はＶ形を有することを特徴とする請求項４に記載の取付け部品。
【請求項６】
前記成形棒材は、縦方向を横切る補強材によって補強されていることを特徴とする請求項５に記載の取付け部品。
【請求項７】
取付け部品の振動特性が形材の肉厚及び／又は成形棒材又は桁材のねじり面モーメントによって調整可能であることを特徴とする請求項１ないし６のいずれか１つに記載の取付け部品。
【請求項８】
前記成形棒材及び／又は桁材は、空欠部を有し、ここに重量補償のための挿入部材が入れてあることを特徴とする請求項１ないし７のいずれか１つに記載の取付け部品。
【請求項９】
前記挿入部材は、空欠部にねじ込まれ又は溶接される中空スリーブであることを特徴とする請求項８に記載の取付け部品。
【請求項１０】
連成曲げ・ねじりモードで振動する測定管を有するコリオリ型質量流量計であって、回転対称軸に関して回転対称に形成され、測定管のねじり振動モードと同じ周波数により逆位相でねじり振動させられる請求項１ないし９に記載の取付け部品が測定管と機械的に結合され、取付け部品の回転対称軸が測定区間入口及び測定区間出口横断面（４、６）の中心点（４ａ、６ａ）で決まる直線（中心軸）（８）と平行に延びており又はこの直線と一致するコリオリ型質量流量計。
【請求項１１】
前記取付け部品は、回転対称軸に垂直に配向されて測定区間の中央で中心軸をよぎる対称面に関して鏡映対称であることを特徴とする請求項１０に記載のコリオリ型質量流量計。
【請求項１２】
曲げ及び／又はねじり力の補償のための少なくとも１個の別の補償部材が測定管に取付けられていることを特徴とする請求項１０ないし１１のいずれか１つに記載のコリオリ型質量流量計。
【請求項１３】
前記取付け部品は、入口側及び出口側で測定管と結合されていることを特徴とする請求項１０ないし１２のいずれか１つに記載のコリオリ型質量流量計。
【請求項１４】
前記取付け部品は、測定区間の入口側及び出口側端部で測定管と結合されていることを特徴とする請求項１３に記載のコリオリ型質量流量計。
【請求項１５】
前記取付け部品は、測定区間の内部で測定管と結合されていることを特徴とする請求項１３に記載のコリオリ型質量流量計。
【請求項１６】
別の補償部材が測定区間の内部で測定管に取付けられていることを特徴とする請求項１０ないし１５のいずれか１つに記載のコリオリ型質量流量計。
【請求項１７】
前記取付け部品は、少なくとも測定区間の区域で測定管を取り囲むことを特徴とする請求項１０ないし１６のいずれか１つに記載のコリオリ型質量流量計。
【請求項１８】
前記取付け部品は、測定管の外側に配置されて測定管と結合されていることを特徴とする請求項１０ないし１７のいずれか１つに記載のコリオリ型質量流量計。
【請求項１９】
質量流量計が単一の真直測定管を具備することを特徴とする請求項１０ないし１８のいずれか１つに記載のコリオリ型質量流量計。
【請求項２０】
前記測定管は、湾曲した測定管を具備することを特徴とする請求項１０ないし１９のいずれか１つに記載のコリオリ型質量流量計。
【請求項２１】
前記測定管は、Ｕ形又はＳ形又はＶ形に折れ曲がっていることを特徴とする請求項２０に記載のコリオリ型質量流量計。  
【請求項２２】
前記取付け部品は、少なくとも１個の第１の入口側部分、第２の出口側部分及び第３の中間部分を具備し、各部分が回転対称軸に関して回転対称に形成されていることを特徴とする請求項１０ないし２１のいずれか１つに記載のコリオリ型質量流量計。
【請求項２３】
中間部分のねじり面モーメントの絶対値が入口側及び出口側部分のねじり面モーメントより大きいことを特徴とする請求項１０ないし２２のいずれか１つに記載のコリオリ型質量流量計。
【請求項２４】
前記入口側及び出口側部分は、ねじりばねとして、中間部分が慣性質量として作用することを特徴とする請求項２３に記載のコリオリ型質量流量計。
【請求項２５】
取付け部品のねじり振動モードの周波数と位相関係が、中間部分と入口側及び出口側部分のねじり面モーメントの絶対値の比並びに中間部分と入口側及び出口側部分との接合部の位置によって調整可能であることを特徴とする請求項２４に記載のコリオリ型質量流量計。
【請求項２６】
前記取付け部品は、測定管のねじり振動と同じ周波数により逆位相でねじり振動させられることを特徴とする請求項１０ないし２５のいずれか１つに記載のコリオリ型質量流量計。
【請求項２７】
前記取付け部品の少なくとも１つの部分は、多部材組立品であることを特徴とする請求項１０ないし２６のいずれか１つに記載のコリオリ型質量流量計。
【請求項２８】
前記多部材組立品は、回転対称軸と平行に延びて、測定管軸に垂直な板に保持された細長い部材からなることを特徴とする請求項２７に記載のコリオリ型質量流量計。
【請求項２９】
別の補償部材が中心軸に対して偏心に取付けられた剛直な樋状物又は補償管であることを特徴とする請求項１０ないし２８のいずれか１つに記載のコリオリ型質量流量計。
【請求項３０】
中心軸に対して偏心に取付けられた片持質量が別の補償部材として測定管に取付けられていることを特徴とする請求項１０ないし２９のいずれか１つに記載のコリオリ型質量流量計。
【請求項３１】
請求項１ないし９に基づき形成された別の取付け部品が別の機能の遂行のために測定管に取付けられていることを特徴とする請求項１０ないし３０のいずれか１つに記載のコリオリ型質量流量計。
【発明の詳細な説明】
【技術分野】
【０００１】
本発明は、請求項１の上位概念に基づくコリオリ型質量流量計（ＣＭＤ）のための取付け部品及び上記の取付け部品を有するコリオリ型質量流量計に関する。
【背景技術】
【０００２】
ＣＭＤは流体が貫流する測定管に周期運動−代表的には曲げ振動−を励起し、少なくとも２個所で管壁に働く流体の力の作用を測定する。測定点の測定信号の位相差から質量流量を決定することができる。
【０００３】
しかし流れに基づき管壁に働く流体の力の作用（コリオリ効果）は、その他の発生する力と比較してすこぶる小さい。そこで測定結果をバックグラウンド及び外乱から区別するために、構造の対称性等に関して装置に高い条件が要求される。特にＣＭＤは振動技術的にその環境（特にＣＭＤが取付けられた、その性質が調節不能な管路）からなるべく完全に遮断されていなければならない。このような減結合はＣＭＤの「バランシング」とも呼ばれる。
【０００４】
先行技術ではしばしば二重管構造及び／又は湾曲した測定管を使用することによってバランシングを得ようとする。これによって流体の広い密度範囲にわたってバランシングを得ることができる。しかしプロセス技術的には湾曲してない単管形の測定管が選ばれる。この場合３つの代表的な手法がある（非特許文献）。
【０００５】
固定対称取付け
この場合特殊な取付け規則によって、ＣＭＤを十分に確定的に環境に連結することが保証されるという。装置自体は大きな質量を有する。欠点は高い取付け費用、重い固定具及び外的影響に対する装置の大きな感度（例えば低い零位点安定性）である。
【０００６】
曲げ逆振動子
曲げ逆振動子を取付けることによって測定管の振動を補償する。曲げ逆振動子は測定管に対して逆位相で振動し、理想的な場合には重心の振動運動を消去する。その場合は周辺力が働かない。このような補償は一般に、ある流体密度でだけ機能し、他の密度では測定管と逆振動子の質量比がもはや適合せず、環境への連結が著しく増大する。そこで測定精度も低下する。
【０００７】
ねじり逆振動子
曲げ逆振動子の代わりに質量を偏心に取付けることによって、管の曲げ固有振動がねじり振動に連結される。測定管に幾つかの片持質量を取付けることによってこの連結を得ることが提案された。片持質量の重心は曲げ振動面に対して垂直に測定管の縦軸を通る共通の平面にあるが、一般にこの縦軸上にはない。１つの代替策は、特許文献１に示されるように、剛直な偏心樋状物を取付けることである。２つの振動モード（曲げ振動モードとねじり振動モード）は流体質量によって同様に影響を受けるから、周辺力即ち曲げ力とねじり力を大きな密度範囲にわたって補償し得ることが明らかである。測定管のつりあわせ部分は以下で測定区間とも呼ばれる。測定データはもっぱらこのようにつりあわせた測定区間の内部で記録されるという。
【０００８】
ところが提案のバランシングは、ねじり振動に基づき管の軸に沿って対称なトルク（ねじりモーメント）が測定管の入口側及び出口側端部に作用することによって得られる。その場合対称とは、入口側と出口側のねじりモーメントが絶対値は等しいが、同方向又は逆方向に配向されていることを意味する。さらにこの軸線上のねじりモーメントによってＣＭＤの環境との望ましくない振動技術的連結が生じる。
【０００９】
回転対称軸に関して回転対称に形成され、測定管のねじり振動モードと同じ周波数により逆位相でねじり振動させられる取付け部品を測定管と機械的に結合することによって、ねじりモーメントの連結を克服することが提案された。取付け部品の回転対称軸は、測定区間入口及び測定区間出口横断面の中心点で決まる直線（以下略して中心軸と称する）と平行に延びるか又はこれと一致するようになっている。測定管が完全に真直であれば、中心軸は測定管の中心線及び測定管の回転対称軸と一致する。
【００１０】
この場合回転対称とは、いわゆるｎ回の回転対称としての対称を意味する。なおｎは自然数である。回転対称軸の周りに角３６０°／ｎだけ回転したとき物体が完全に写像されるならば、この物体はｎ回の回転対称を有する。例えば底面が正方形の細長い直方体は縦方向と平行に延びる中心軸に関して４回の回転対称を有する。この回転対称軸の周りにそれぞれ９０°の回転で直方体が完全に写像されるからである。長方形の端面を持つ細長い直方体は２回の回転対称を有する。ｎ回の回転対称の極端な場合として、均質な質量分布を持つ中実又は中空円柱例えば測定管は「無限回の」回転対称を有する。任意のあらゆる角度の回転がすべて中空又は中実円柱を完全に写像するからである。この場合はRotationssymmetrieともいう。
【００１１】
提案の取付け部品は、回転対称軸に垂直に配向されて測定区間の中央で中心軸をよぎる対称面に関して鏡映対称であることが可能である。鏡映対称とは、対称面での鏡映で取付け部品が自己同一になることを意味する。
【特許文献１】ＵＳ２００２／０１１７０１０Ａ１
【非特許文献１】W.Drahm： Einrohrtechnik bei Coriolis-Massemessern‐eine Standortbestimmung（Ｗ．ドラーム著「コリオリ型質量流量計での単管技術−位置決定」atp 42.7(2000) 20頁），
【発明の開示】
【発明が解決しようとする課題】
【００１２】
先行技術によればコリオリ型質量流量計の測定管の振動補償のための取付け部品は、一方では必要な剛性を、他方では必要な重量を得るために、もっぱらがっしりした部材、例えば中実材料の桁材又は棒材又は円板で製造される。その結果、振動補償したＣＭＤは今日大変重い。ところが上記の提案によるＣＭＤは大きな補償質量をもはや必要としないのである。
【００１３】
そこで本発明の課題は、たやすく安価に製作され、僅かな材料しか必要としない、バランスのとれたＣＭＤの製造を可能にする取付け部品を提供することである。  
【課題を解決するための手段】
【００１４】
この課題は取付け部品に関しては請求項１の特徴によって、ＣＭＤに関しては請求項１０の特徴によって解決される。
【００１５】
本発明によれば、取付け部品は閉じた中空横断面を有する中空成形棒材及び／又は桁材からなる組立品である。取付け部品は特に閉じた中空横断面輪郭を有する桁材からなり、その場合桁材は円形又は楕円形又は長方形又は雷文形の中空横断面輪郭を有することができる。
【００１６】
また本発明に基づく取付け部品は細長い成形棒材からなることもできる。成形棒材は例えばＵ形又はＬ形又はＶ形を有するが、これに限らない。
【００１７】
成形棒材は縦方向を横切る補強材によって補強することができる。このような構造の利点は、開放した端縁の有害な低周波振動がそれによって回避されることである。
【００１８】
特に有利な実施形態では、形材の肉厚及び／又は成形棒材又は桁材のねじり面モーメントによって取付け部品の振動特性を調整することができる。
【００１９】
本発明に基づく取付け部品では成形棒材及び／又は桁材が空欠部を有し、ここに重量補償のための挿入部材を入れることができる。その場合利点は、空欠部によってＣＭＤの他の部品、例えばセンサやアクチュエータが外部からアクセス可能になり、しかも空欠部の切取りによって生じた重量損失が挿入部材によって再び補償されることである。こうして取付け部品の振動特性は不変である。挿入部材は中空スリーブであることが好ましい。中空スリーブは空欠部にねじ込まれ又は溶接される。
【００２０】
本発明に基づくＣＭＤは連成曲げ・ねじりモードで振動する測定管を具備する。回転対称軸に関して回転対称に形成され、測定管のねじり振動モードと同じ周波数により逆位相でねじり振動させられる上記の構造の取付け部品が測定管と機械的に結合され、取付け部品の回転対称軸は測定区間の入口及び出口横断面の中心点で決まる直線（中心軸）と平行に延び又はこれと一致する。
【００２１】
その場合取付け部品は、回転対称軸に垂直に配向されて測定区間の中央で中心軸をよぎる対称面に関して鏡映対称となる。
【００２２】
特に有利な実施態様では曲げ及び／又はねじり力の補償のための少なくとも１個の別の補償部材を測定管に取付けることができる。
【００２３】
取付け部品は入口側及び出口側で測定管と結合することができ、特に測定区間の入口側及び出口側端部で、さらには測定区間の内部でも、測定管と結合することができる。
【００２４】
別の補償部材を測定区間の内部で測定管に取付けることができる。
【００２５】
取付け部品は少なくとも測定区間の区域で測定管を取り囲むことができるが、測定管の外側に配置して測定管と結合することもできる。
【００２６】
コリオリ型質量流量計は単一の真直の又は湾曲した測定管からなることができ、その場合測定管を特にＵ形又はＳ形又はＶ形に折り曲げることができる。
【００２７】
本発明に基づく取付け部品は少なくとも１個の第１の入口側部分、第２の出口側部分及び第３の中間部分からなることができ、各部分は回転対称軸に関して回転対称に形成されている。その場合中間部分のねじり面モーメントの絶対値は入口側及び出口側部分のねじり面モーメントより大きい。
【００２８】
特に有利なのは、入口側及び出口側部分がねじりばねとして、中間部分が慣性質量として作用する実施形態である。
【００２９】
取付け部品の振動特性はとりわけ回転対称軸に関するねじり面モーメントによって決まる。ねじり面モーメントは力学で周知の量であり、例えばDubble：Taschenbuch fuer den Maschinenbau（機械製作便覧）,Springer-Verlag Berlin, 1995, C27−C29頁に記載されている。一定の肉厚を有する薄肉の中空体のねじり面モーメントは、前掲書Ｃ２９頁の表７に示されているように、横断面中心線が挟む面の二乗と、肉厚を横断面中心線を囲む円周で割った商との積に比例する。ねじり角はねじり面モーメントに反比例する。
【００３０】
そこで取付け部品の中間部分のねじり面モーメントが入口側及び出口側部分のねじり面モーメントより大きければ好都合である。このような実施形態では、入口側及び出口側部分がねじりばねとして作用し、中間部分がねじりの少ない質量として作用することが保証される。
【００３１】
また本発明に基づくＣＭＤでは、取付け部品のねじり振動モードの周波数及び位相関係を中間部分と入口側及び出口側部分のねじり面モーメントの絶対値の比並びに中間部分と入口側及び出口側部分との接合部の位置によって調整することができる。その場合中間部分と入口側及び出口側部分の間の移行は段階的又は連続的に行うことができる。
【００３２】
発明のその他の有利な実施態様と改良は従属請求項で明らかである。
【００３３】
発明の実施例を示した図面に基づき、発明並びに発明のその他の有利な実施態様及び改良を詳しく説明し、記述する。
【発明を実施するための最良の形態】
【００３４】
図１は単一の真直測定管７０２を有するコリオリ型質量流量計７０１を示す。測定管７０２の中心軸７０８はこの場合測定管７０２の回転対称軸と一致する。測定装置７０１をプロセスパイプライン系に組込むためのフランジ７１８、７１８ａが測定管７０２の入口側及び出口側端部７１０、７１２に取付けられている。この場合測定区間はフランジ７１８、７１８ａの間の測定管の全長にわたって延びている。
【００３５】
回転対称軸に関して４回回転対称の取付け部品７２０が測定管７０２と結合され、取付け部品７２０は測定管、それとともにこの場合は測定区間７０２の全周を取り囲む。取付け部品７２０は第１の入口側部分７２２、第２の出口側部分７２４、第３の中間部分７２６からなる。その回転対称軸は測定管７０２の中心軸と一致する。
【００３６】
第１の入口側部分７２２と第２の出口側部分７２４は薄肉の中空円筒からなる。第３の中間部分７２６は、測定管の中心軸７０８に対して４回回転対称に構成された多部材組立品である。この中間部分はほぼ正方形の端板７５０、７５０ａと、直方体の縦稜をなし測定管７０２と平行に延びる４個の結合部材７５２、７５４、７５６、７５８によって直方体のように形成されている。端板７５０、７５０ａは測定管を貫挿するために中央に配置された丸穴を有する。入口側と出口側で端板７５０、７５０ａに第１及び第２の部分をなす中空円筒７２２、７２４が溶接されている。この中空円筒は、はんだ付け又はその他の結合技術によって結合することもできる。直方体状の結合部材７５２、７５４、７５６、７５８は板７５０、７５０ａに機械的に固定され、即ち溶接、はんだ付け又は螺着されている。
【００３７】
入口側端部と出口側端部の間の中央及び入口側又は出口側で、各々２個の隣接する結合部材７５２、７５４、７５６、７５８が縦方向に対して垂直に配置された別の結合部材によって結合されるから、測定管の中心軸に垂直に配向された枠状の補強材７７２、７７０、７７４がそれぞれ生じる。
【００３８】
中央の補強材７７２に励振装置が固定され、入口側及び出口側の２つの補強材に管の振動状態を検知するためのセンサが取付けられている。
【００３９】
中空円筒形の第１及び第２の部分７２２、７２４の直径は、正方形の端板７５０、７５０ａの一辺の長さより小さい。第１及び第２の部分７２２、７２４はねじりばねとして、第３の部分７２６は質量として機能する。枠状の補強材７７２、７７０、７７４によって、小さな重量で第３の部分の高い剛性が得られる。
【００４０】
結合部材７５２、７５４、７５６、７５８及びその他の結合部材は、図２が示すように閉じた中空輪郭を有する長方形桁材である。図３ないし６は本発明に基づく取付け部品を構成するために使用することができるその他の可能な中空輪郭形状、即ち長方形（図３）、円形（図４）、楕円形（図５）及び雷文状（図６）の中空輪郭形状を示す。
【００４１】
中間部分７２６の入口側隅角部に調整質量として円柱体７６０、７６２、７６４がねじ止めされている。これらの円柱体は測定装置の最終組立の後に取付けられ、中間部分７２６の重量と間隔に従って、つり合いが最適になるように選定される。必要に応じて８つのすべての隅角部に、又は−図１に示すように−隅角部の一部にだけ調整質量を取付けることができる。
【００４２】
第１及び第２の部分７２２、７２４の幾何学的性質−即ちその長さ、直径及び肉厚−、中間部分の幾何学的性質−特にその長さ及び直方体の稜の長さ−、結合部材７５２、７５４、７５６、７５８の質量並びに補助的に取付けられる調整質量によって取付け部品７２０の振動特性を調整することができる。
【００４３】
図７は本発明に基づく取付け部品を有するＣＭＤの別の代替実施形態を示す。
【００４４】
図７は単一の真直測定管８０２を有するコリオリ型質量流量計８０１を示す。測定管８０２の中心軸８０８はこの場合測定管８０２の回転対称軸と一致する。測定装置８０１をプロセスパイプライン系に組み込むためのフランジ８１８、８１８ａが測定管８０２の入口側及び出口側端部８１０、８１２に取付けられている。測定区間、即ち測定管を通って流れる媒質と測定管の壁部の間で相互作用が行なわれる測定管区域は、フランジ８１８、８１８ａの間の測定管の全長に延びている。
【００４５】
回転対称軸に関して２回回転対称の取付け部品８２０が測定管８０２と結合され、取付け部品８２０が測定管８０２の全周を取り囲む。取付け部品８２０は第１の入口側部分８２２、第２の出口側部分８２４、第３の中間部分８２６からなる。その回転対称軸は測定管８０２の中心軸と一致する。
【００４６】
第１の入口側部分８２２と第２の出口側部分８２４は薄肉の中空円筒からなる。第３の中間部分８２６は、測定管の中心軸８０８に対して２回回転対称に構成された多部材組立品である。
【００４７】
この中間部分は、ほぼ長方形の端板８５０，８５０ａ及び測定管８０２と平行に延びる細長い中空直方体状の２個の結合部材８５２、８５４で直方体のように形成されている。結合部材８５２、８５４はそれぞれ端板８５０、８５０ａの短辺側で端板に螺着されている。その高さは端板８５０、８５０ａの高さに相当する。全体として端板８５０、８５０ａと結合部材８５２、８５４は長方形のフレームを形成する。端板も細長い中空直方体である。
【００４８】
端板８５０、８５０ａは測定管を貫挿するために中央に配置された丸穴を有する。入口側及び出口側で端板８５０、８５０ａに、第１及び第２の部分をなす中空円筒８２２、８２４が溶接されている。この中空円筒を半田付けすることもできる。
【００４９】
中空円筒状の第１及び第２の部分８２２、８２４の直径は正方形の端板８５０，８５０ａの一辺の長さより小さい。第１及び第２の部分８２２、８２４はねじりばねとして、第３の部分８２６は質量として機能する。
【００５０】
第１及び第２の部分８２２、８２４の幾何学的性質−即ちその長さ、直径及び肉厚−、中間部材の幾何学的性質−特にその長さ及び稜の長さ並びに直方体の幅と高さの比−並びに結合部材７５２、７５４の質量によって取付け部品８２０の振動特性を調整することができる。
【００５１】
全体として図７の実施形態は図１の実施形態に類似する。しかし図７の実施形態は図１の実施形態よりも製造が一層簡単である。
【００５２】
結合部材８５２、８５４の縦側面に各々２個の空欠部８８０、８８１が穿設されている。例えば測定管に取付けられた振動測定信号の検知のためのセンサをこの空欠部に通すことができる。ところが空欠部を穿設することによって取付け部品の重量及び振動特性が変化する場合がある。そこで重量補償と空欠部の端縁の補強のために、空欠部８８０、８８１にスリーブ８８２、８８３が挿入され、そこに螺着される。
【００５３】
図８は、単一の真直測定管１３０２を有するコリオリ型質量流量計１３０１を示す。測定管１３０２は、１つの個片で作られているが、機能的には入口側及び出口側管延長部１３１４、１３１６と、その間にあって測定区間入口横断面１３０４及び測定区間出口横断面１３０６で画定される測定区間に区分される。これらの横断面の中心点１３０４ａ、１３０６ａによって測定管１３０２の中心軸１３０８が決まる。この場合、中心軸１３０８は測定管１３０２の回転対称軸と一致する。測定装置１３０１をプロセスパイプライン系に組込むためのフランジ１３１８、１３１８ａが管延長部１３１４、１３１６に取付けられている。
【００５４】
測定管１３０２に取付け部品１３２０が結合され、取付け部品１３２０は測定区間の区域で測定管１３０２の全周を取り囲む。取付け部品１３２０は図１で述べたように構成され、本発明に基づく中空成形体からなる中間部分を有する。取付け部品１３２０は図７で述べたように構成することもできる。
【００５５】
測定管１３０２は先行技術で慣用のように金属、例えばチタンからなることができる。取付け部品１３２０も金属からなることができる。取付け部品１３２０は測定区間の入口側又は出口側端部１３１０、１３１２で測定管に溶接されている。
【００５６】
曲げ及び／又はねじり力の補償のための別の補償部材１３８０が測定管１３０２に取付けられている。この補償部材は結合部１３１０ａ及び１３１２ａで例えば溶接又は螺着により測定管１３０２に固定される。従って補償部材１３８０と測定管１３０２の結合部１３１０ａ、１３１２ａは測定区間の内部にある。
【００５７】
図８の配列の根底にある思想は、少なくとも１個の補償部材により曲げ及び／又はねじり力に関して補償された測定管部分と、取付け部品によりねじりモーメントに関して補償された部分は合同であるか、又は２つの部分の一方が他方を包含することができるということである。２つの部分のうちの大きいほうが測定区間を確定する。図８の場合は取付け部品によって補償された部分が測定区間を確定する。
【００５８】
図９は単一の真直測定管１４０２を有するコリオリ型質量流量計１４０１を示す。測定管１４０２は１つの個片で作られているが、機能的には入口側及び出口側管延長部１４１４、１４１６と、その間にあって測定区間入口横断面１４０４及び測定区間出口横断面１４０６で画定される測定区間に区分される。これらの横断面の中心点１４０４ａ、１４０６ａによって測定管１４０２の中心軸１４０８が決まる。この場合中心軸１４０８は測定管１４０２の回転対称軸と一致する。測定装置１４０１をプロセスパイプライン系に組込むためのフランジ１４１８、１４１８ａが管延長部１４１４、１４１６に取付けられている。
【００５９】
測定管１４０２に取付け部品１４２０が結合され、取付け部品１４２０は測定区間の区域で測定管１４０２の全周を取り囲む。取付け部品１４２０は図１で述べたように構成され、本発明に基づく中空成形体からなる中間部分を有する。取付け部品１４２０は図７で述べたように構成することもできる。その回転対称軸は測定管１４０２の中心軸１４０８と一致する。
【００６０】
測定管１４０２は先行技術で慣用のように金属、例えばチタンからなることができる。取付け部品１４２０も金属からなることができる。取付け部品１４２０は測定区間の入口側又は出口側端部１４１０、１４１２で測定管に溶接されている。
【００６１】
測定管１４０２に別の補償部材として４枚の板１４８０ａ、１４８０ｂ、１４８０ｃ、１４８０ｄが測定管の中心軸１４０８に関して偏心に取付けられている。これらの板は上記ですでに提案したように、測定管１４０２の曲げ及び／又はねじり力の補償をもたらす。板１４８０ａ、１４８０ｂ、１４８０ｃ、１４８０ｄは測定区間の内部かつ取付け部品１４２０の中間部分１４２６の内部にあるように配置されている。
【図面の簡単な説明】
【００６２】
【図１】本発明に基づく取付け部品を有するコリオリ型質量流量計の斜視図である。
【図２】本発明に基づく取付け部品を構成するための中空成形桁材の詳細図である。
【図３】本発明に基づく取付け部品を製造するための中空形材の横断面図である。
【図４】本発明に基づく取付け部品を製造するための別の中空形材の横断面図である。
【図５】本発明に基づく取付け部品を製造するための別の中空形材の横断面図である。
【図６】本発明に基づく取付け部品を製造するための別の中空形材の横断面図である。
【図７】本発明に基づく別の取付け部品を有するＣＭＤの斜視図である。
【図８】本発明に基づく別の取付け部品を有するＣＭＤの概略図である。
【図９】本発明に基づく別の取付け部品を有するＣＭＤの概略図である。
【符号の説明】
【００６３】
４          測定区間入口側横断面
４ａ        中心点
６          測定区間出口側横断面
６ａ        中心点
８          中心軸
【図１】
2005134388.tif 000003
【図２】
2005134388.tif 000004
【図３】
2005134388.tif 000005
【図４】
2005134388.tif 000006
【図５】
2005134388.tif 000007
【図６】
2005134388.tif 000008
【図７】
2005134388.tif 000009
【図８】
2005134388.tif 000010
【図９】
2005134388.tif 000011